(57)【特許請求の範囲】
【請求項１】
１又は２以上の動画データ及び２以上の静止画データを記憶する記憶部と、
ジョブを実行するジョブ実行部と、
前記ジョブの所要時間を計算する所要時間計算部と、
前記動画データを情報表示装置に表示する表示部とを備え、
前記表示部は、
再生時間の合計が前記所要時間以下となる１又は２以上の前記動画データを選択し、前記ジョブの実行中に選択された前記動画データを前記情報表示装置に表示し、
前記ジョブの実行中のうち前記動画データを前記情報表示装置に表示しない時間帯に、２以上の所定数の前記静止画データを選択し前記情報表示装置に表示し、
２以上の所定数の前記静止画データを同じ時間ずつ切り替えながら前記情報表示装置に表示する場合に１の前記静止画データの表示時間が、所定の上限時間以下である場合には２以上の所定数の前記静止画データを同じ時間ずつ切り替えながら前記情報表示装置に表示し、所定の上限時間を超える場合には１の前記静止画データの表示時間が所定の上限時間以下となるように前記所定数を超える数の前記静止画データを選択して選択された前記静止画データを同じ時間ずつ切り替えながら前記情報表示装置に表示する
ことを特徴とする、画像形成装置。
【請求項２】
前記情報表示装置に近接して設けられた操作部と、ネットワークを介して接続された遠隔端末機との両方から前記ジョブの指示を受けて前記ジョブ実行部を稼働させ、
前記表示部は、前記操作部から前記ジョブの指示を受けた場合にのみ、前記動画データ及び前記静止画データを前記情報表示装置に表示する
ことを特徴とする、請求項１に記載の画像形成装置。
【請求項３】
ジョブを実行するジョブ実行部、
前記ジョブの所要時間を計算する所要時間計算部、及び
記憶部に記憶された動画データ及び静止画データを情報表示装置に表示する表示部とし
て画像形成装置を機能させ、
前記表示部は、
再生時間の合計が前記所要時間以下となる１又は２以上の前記動画データを選択し、前記ジョブの実行中に選択された前記動画データを前記情報表示装置に表示し、
前記ジョブの実行中のうち前記動画データを前記情報表示装置に表示しない時間帯に、２以上の所定数の前記静止画データを選択し前記情報表示装置に表示し、
２以上の所定数の前記静止画データを同じ時間ずつ切り替えながら前記情報表示装置に表示する場合に１の前記静止画データの表示時間が、所定の上限時間以下である場合には２以上の所定数の前記静止画データを同じ時間ずつ切り替えながら前記情報表示装置に表示し、所定の上限時間を超える場合には１の前記静止画データの表示時間が所定の上限時間以下となるように前記所定数を超える数の前記静止画データを選択して選択された前記静止画データを同じ時間ずつ切り替えながら前記情報表示装置に表示する
ことを特徴とする、表示プログラム。
【発明の詳細な説明】
【技術分野】
【０００１】
本発明は、画像形成装置及び表示プログラムに関する。
【背景技術】
【０００２】
画像形成装置において、ユーザーがコピー、印刷等のジョブを開始して、そのジョブが終了するまでの間に、ユーザーが操作するパネルに広告等を表示することが知られていた。しかし、動画を表示する場合、ジョブの開始から終了までの時間が短いと動画全部を表示できないという問題があった。
【０００３】
この問題に関し、特許文献１には、ジョブの実行時間（所要時間）を算出し、時間内に全部を表示できる動画を表示する画像処理装置が開示されている。
【先行技術文献】
【特許文献】
【０００４】
【特許文献１】特開２００２−２９７３２５号公報
【発明の概要】
【発明が解決しようとする課題】
【０００５】
特許文献１に開示された画像形成装置は、動画をダウンロードして表示するため、ダウンロードに要する時間を含めた実質的に再生に要する時間が正確には求められない。また、ダウンロード元において動画が変更され表示時間が伸長、短縮された場合を把握できないこともある。そして、動画のみを表示する（静止画を表示しない）ため、ジョブの所要時間と動画の再生時間が一致しない分を、動画再生速度によって調整せざるを得ない。（又は情報の表示されない時間帯を発生させざるを得ない。）
【０００６】
本発明は、ジョブを実行する時間を有効に活用して情報を表示する画像形成装置を提供することを課題とする。
【課題を解決するための手段】
【０００７】
本発明の画像形成装置は、
情報表示装置と制御部と記憶部とを備え、
前記記憶部は、１又は２以上の動画データを記憶し、
前記制御部は、ジョブ実行部と、ジョブの所要時間を計算する所要時間計算部と、前記動画データを前記情報表示装置に表示する表示部とを含み、
前記表示部は、再生時間の合計が前記所要時間以下となる１又は２以上の前記動画データを選択し、前記ジョブの実行中に選択された前記動画データを前記情報表示装置に表示する。
【０００８】
この特徴によれば、再生時間の合計が所要時間以下となるように動画を選択し、ジョブ実行中に選択された動画の全部を再生することができる。
【０００９】
本発明の画像形成装置は、
前記記憶部は、１又は２以上の静止画データをさらに記憶し、
前記表示部は、前記ジョブの実行中のうち前記動画データを前記情報表示装置に表示しない時間帯に、１又は２以上の前記静止画データを選択し前記情報表示装置に表示する
ことを特徴とする。
【００１０】
この特徴によれば、ジョブの所要時間と動画の再生時間との差分の時間について、静止画を表示して活用することができる。
【００１１】
本発明の画像形成装置は、
前記表示部は、１の前記静止画データを前記情報表示装置に表示する時間を特定の時間以下とする  
ことを特徴とする。
【００１２】
この特徴によれば、１の静止画のみを長時間継続して表示することがなく、表示されるコンテンツへのユーザーの興味を惹き続けられる。
【００１３】
本発明の画像形成装置は、
前記情報表示装置に近接して設けられた操作部と、ネットワークを介して接続された遠隔端末機との両方から前記ジョブの指示を受けて前記ジョブ実行部を稼働させ、
前記表示部は、前記操作部から前記ジョブの指示を受けた場合にのみ、前記動画データ及び／又は前記静止画データを前記情報表示装置に表示する
ことを特徴とする
【００１４】
この特徴によれば、ユーザーが遠隔端末機からジョブを指示し情報表示装置を見ることができないときには、動画及び静止画を表示しないことができる。
【００１５】
本発明の表示プログラムは、
ジョブを実行するジョブ実行部、
前記ジョブの所要時間を計算する所要時間計算部、及び
記憶部に記憶された前記動画データを前記情報表示装置に表示する表示部として画像形成装置を機能させ、
前記表示部は、再生時間の合計が前記所要時間以下となる１又は２以上の前記動画データを選択し、前記ジョブの実行中に選択された前記動画データを前記情報表示装置に表示することを特徴とする。
この特徴によれば、再生時間の合計が所要時間以下となるように動画を選択し、ジョブ実行中に選択された動画の全部を再生することができる。
【発明の効果】
【００１６】
本発明の画像形成装置によれば、ジョブを実行する時間を有効に活用して情報を表示することが可能となる。
【図面の簡単な説明】
【００１７】
【図１】図１は、画像形成装置の構造を示す図である。
【図２】図２は、画像形成装置の機能構成を示す図である。
【図３】図３は、ユーザー操作部の表示を示す図である。
【図４】図４は、制御部の処理を示すフローチャートである。
【図５】図５は、情報表示装置の表示を示す図である。
【発明を実施するための形態】
【００１８】
図１は、画像形成装置の構造を示す図である。画像形成装置１は、スキャナー５及びプリンター６を備え、スキャナー５に用紙を送るフィーダー１１、プリンター６から印刷後の用紙が排出される排紙トレイ１２及びユーザー操作部２を備えている。
【００１９】
ユーザー操作部２は、タッチパネルディスプレイであり、動画、静止画等の情報を表示することも可能である。なお、ユーザー操作部２とは別に情報表示装置を備えてもよい。
【００２０】
図２は、画像形成装置の機能構成を示す図である。画像形成装置１は、ユーザー操作部（情報表示装置）２、制御部３、記憶部４、スキャナー５、プリンター６を含む。
【００２１】
制御部３は、ＣＰＵ（Central Processing Unit）、ＲＡＭ（Random Access Memory）、及びＲＯＭ（Read Only Memory）を備えるプロセッサーである。ＲＯＭは表示プログラム等のプログラムを記憶しており、ＣＰＵがプログラムを実行する。ＲＡＭは、プログラム実行時のワークメモリーとして機能する。制御部３は、表示プログラムを実行することにより、ジョブ実行部３１、所要時間計算部３２、表示部３３、読取部３１１及び印刷部３１２として動作する。
【００２２】
読取部３１１はジョブ実行部３１に制御されてスキャナー５から画像を取得する。スキャナー５は、フィーダー１１に載置された用紙から又はスキャナー５に直接に載置された用紙から画像を読取る。
【００２３】
印刷部３１２はジョブ実行部３１に制御されてプリンター６に画像を出力する。プリンター６は、排紙トレイ１２に印刷された用紙を排出する。
【００２４】
ジョブ実行部３１は、ユーザー操作部２におけるユーザーの指示、及びネットワーク７を介したユーザーの指示に基づいて、ジョブを実行する。その際、読取部３１１及び印刷部３１２を用いて、スキャナー５及びプリンター６を駆動する。
【００２５】
所要時間計算部３２は、ジョブの開始から完了までの所要時間を推定して計算する。
【００２６】
表示部３３は、動画データ４１及び静止画データ４２を、情報表示装置２に表示する。
【００２７】
記憶部４は、動画データ４１及び静止画データ４２を保持している。
【００２８】
動画データ４１は、１又は２以上の動画のデータであり、各々の動画は再生の所要時間が明確なものである。なお、動画データ４１は、表示に必要な画面サイズが情報表示装置２のサイズに合わせられていることが好ましい 。 
【００２９】
静止画データ４２は、１又は２以上の静止画のデータである。なお、静止画データ４２は、表示に必要な画面サイズが情報表示装置２のサイズに合わせられていることが好ましい。 
【００３０】
以下、ジョブの実行と動画又は静止画の表示について説明する。
【００３１】
ユーザーが、ユーザー操作部２を操作して、コピーのジョブを指示するものとして実施形態を説明する。ユーザーがユーザー操作部２を操作して実行するジョブ（例えば、ＢＯＸ印刷、プルプリント）についても、コピーのジョブと同様の処理が行われる。図３はユーザー操作部の表示を示す図である。ユーザーは、指定操作域２１においてコピーの部数及び用紙サイズを指定し、カラー／モノクロの別、片面コピー／両面コピーの別を選択して、「実行」ボタン２２にタッチする。これにより、制御部２に向けてジョブの実行が指示される。なお、用紙サイズについては、ユーザーに指定させずにフィーダー１１において検出してもよい。
【００３２】
図４は、制御部の処理を示すフローチャートである。制御部３は、指示されたジョブを順次に実行するが、図は１のジョブに係るものである。
【００３３】
制御部３は、ユーザーによる条件設定を含む指示を受領すると（ステップＳ１）、その指示がユーザー操作部２において入力されたか否かによって処理を分岐する（ステップＳ２）。ユーザー操作部２において入力されたものでない場合には、ジョブ実行部３１がジョブを実行し（ステップＳ３）、動画及び静止画の表示を行わない。ユーザーが情報表示装置２を見ないと考えられるためである。
【００３４】
ユーザー操作部２において入力されたものである場合には、所要時間計算部３２が起動される。所要時間計算部３２は、受領された条件設定に含まれる用紙サイズ、カラー／モノクロの別、片面コピー／両面コピーの別から、プリンター６の印刷速度を求め、これと部数（受領された条件設定に含まれる）及び原稿枚数に基づいて所要時間Ｔを計算する（ステップＳ４）。このとき、所要時間計算部３２は、原稿の画像が読み込まれた回数をカウントして原稿枚数とする。また、所要時間計算部３２は、１ページ目、最終ページ、及び２ページ目から最終ページの１ページ前までのページの印刷の所要時間をそれぞれ計算し、算出された各所要時間を合算することにより所要時間Ｔを計算してもよい。 なお、複数枚の原稿がフィーダー１１にセットされた場合、原稿の読み取りと、画像の用紙への印刷を並行することがあり、直ちに原稿枚数が確定できずに所要時間が正確には求められない場合もある。かかる場合には、所要時間を少な目に求めて、Ｔは実際の所要時間以下の値となるようにするものとする 。例えば、所要時間計算部３２は、１部当たり１枚の用紙を印刷すると仮定して、印刷速度、部数及び原稿枚数（ここでは、１枚の用紙の印刷に対応する原稿枚数）に基づいて所要時間Ｔを計算してもよい。 
【００３５】
次に、表示部３３が起動される。表示部３３は、表示する１又は２以上の動画を、動画データ４１から選択する（ステップＳ５）。選択される動画の再生時間の合計（動画総再生時間）ｔは、ｔ≦Ｔとなるようにする。ただし、所要時間Ｔが小さくいずれの動画を選択してもｔ＞Ｔとなる場合には、動画を選択せず、ｔ＝０とする。
【００３６】
動画の選択は、動画総再生時間ｔが所要時間Ｔに近い値となるようにして、動画の表示される時間を長くすることもできる。例えば、表示部３３は、ｔ≦Ｔとなることを条件として、動画総再生時間ｔが最大となる１又は２以上の動画の組み合わせを選択してもよい。また、Ｔ−ｔが後述する静止画の表示時間の下限よりも大きい値となることを条件として、動画総再生時間ｔが最大となる１又は２以上の動画の組み合わせを選択してもよい。
一方、動画が広告であって広告料金に依存して表示回数を決定する等、表示時間以外の要素を考慮することもできる。ｔ≦Ｔとなる範囲で定めてよい。
なお、表示部３３は、１又は２以上の動画を選択することができるが、これには、１つの動画のみを選択する実施形態と、１つの動画、又は複数の動画の組み合わせの中からいずれかを選択する実施形態を含むものとする。いずれの実施形態によっても、本発明を実施することができる。
【００３７】
表示部３３は、次に、表示する静止画を選択する（ステップＳ６）。静止画は、Ｔ−ｔだけの時間にわたり表示されるものである。ここで、静止画は、２以上を選択してもよい。例えば、静止画の１回の表示時間を定めておき、表示部３３がＴ−ｔの時間の間表示するのに必要な数（すなわち、（Ｔ−ｔ）／［１回の表示時間］）を選択してもよい。
また、表示する静止画の数を定めておき、表示部３３がＴ−ｔの時間の間、定められた数の静止画を選択し、静止画を同じ時間ずつ切り替えながら情報表示機器２に表示してもよい。この場合、静止画の１回の表示時間の上限を定めておき、静止画の表示時間が上限を超えるとき、表示部３３は、表示時間が上限となる数（すなわち（Ｔ−ｔ）／［表示時間の上限］）の静止画を選択してもよい。また、静止画の１回の表示時間の下限を定めておき、静止画の表示時間が下限を超えるとき、１つの静止画を選択してもよい。
【００３８】
動画と静止画が選択されると、ジョブ実行部３１がジョブ（ここでは、コピージョブ全体のうち、原稿読み取りのジョブ部分ではなく画像を用紙に印刷するジョブ部分を指す。）を実行する（ステップＳ３）。ジョブの実行と並行して、表示部３３による動画及び静止画の表示が情報表示機器２に行われる。図５は、情報表示装置の表示を示す図である。図３に示す指定操作域２１の箇所が、図５に示す動画表示域２３となる。「中止」ボタン２４の表示は（動画又は静止画の表示中にもジョブを中止することがあるため）残し、他の領域に動画及び静止画を表示する。
【００３９】
表示部３３は、ジョブの実行される最初のｔの時間だけ動画を情報表示機器２に表示し（ステップＳ７）、その後は静止画を情報表示機器２に表示する（ステップＳ８）。ただし、表示の順序は動画が先でなくてもよく、静止画を先に表示する、動画と静止画とを交互に表示する、その他任意の順序とすることができる。
【００４０】
上述のように、所要時間Ｔの値がジョブの実際の所要時間よりも小さい可能性がある。かかる「場合には、表示部３３は、所要時間Ｔの間、静止画を情報表示装置２に表示する。ジョブ実行部３１からジョブの完了が通知されると表示を終了するが、静止画であれば動画のように途中で打ち切られてしまうことがない。
【００４１】
以上詳細に説明したように、本実施例の画像形成装置１によれば、動画再生速度を調整しない自然な動画と、静止画とを、ジョブ実行の所要時間の全体にわたって情報表示装置２に表示することができる。ジョブを実行する時間を有効に活用して情報を表示するものとなる。
【産業上の利用可能性】
【００４２】
ジョブを実行する時間を有効に活用して情報を表示する画像形成装置である。多くの画像形成装置生産業者、多くの画像形成装置利用企業、多くの広告業者における利用が考えられる。
【符号の説明】
【００４３】
１    画像形成装置
１１  フィーダー
１２  排紙トレイ
２    ユーザー操作部（情報表示装置）
３    制御部
３１  ジョブ実行部
３２  所要時間計算部
３３  表示部
４    記憶部
４１  動画データ
４２  静止画データ
５    スキャナー
６    プリンター
７    ネットワーク
【図１】
0006459068.tif 000002
【図２】
0006459068.tif 000003
【図３】
0006459068.tif 000004
【図４】
0006459068.tif 000005
【図５】
0006459068.tif 000006